(57)【要約】【課題】フィルタカートリッジを極シンプルな加圧機構で押圧して適正な圧縮力を得るフィルタ装置を提供する。【解決手段】フィルタ装置はハウジング１の軸心に沿って立設されたセンタロッド３と、センタロッド３に設けられる、複数のろ材を有するフィルタカートリッジ４と、フィルタカートリッジ４の上部にセンタロッド３を介してフィルタカートリッジ４を軸方向に押圧する加圧機構８とを備える。加圧機構８はフィルタカートリッジ４とハウジング１の蓋体９との間に介装される。【選択図】  図１
2005028203.tif 000002
【特許請求の範囲】
【請求項１】
ハウジングと、前記ハウジングの軸心に沿って立設された軸部材と、前記軸部材に同心を保って設けられ、複数のろ材を有するフィルタカートリッジと、前記フィルタカートリッジの上部にあって前記軸部材を介して前記フィルタカートリッジを軸方向に押圧する加圧機構とを備えるフィルタ装置において、前記加圧機構は中間部に弾性体を装着した上部部材と下部部材とからなり、前記加圧機構が前記フィルタカートリッジと前記ハウジングの蓋体との間に介装されることを特徴とするフィルタ装置。
【請求項２】
前記上部部材が前記蓋体のベント口に嵌入される突片を備えたアダプターからなり、前記下部部材が前記フィルタカートリッジのプロテクションプレート上に載置されるワッシャーで構成されることを特徴とする請求項１記載のフィルタ装置。
【発明の詳細な説明】
【０００１】
【発明の属する技術分野】
本発明は、たとえば、ビール、清涼飲料水、調味料などの原水をろ過するフィルタカートリッジをシンプルな加圧機構で押圧して適正な圧縮力を得ることを可能にしたフィルタ装置に関する。
【０００２】
【従来の技術】
フィルタ装置はビール、発泡酒、清涼飲料水、調味料などの原水をろ過するのに欠かせない装置である。このような原水のろ過工程で使用されるフィルタ装置にはゼータプラスフィルタと呼ばれる、ろ過性能の極めて高いフィルタが用いられる。これはろ材にカチオン樹脂を配合して作られ、液中で正のゼータ電位を保つように構成したもので、物理的ろ過に加え、吸着効果を持たせるようにした高性能フィルタである。
【０００３】
ゼータプラスフィルタを用いたフィルタ装置は、たとえば、図４に示すように、ハウジング３１内の中心にボトムプレート３２から延びるセンタロッド３３を備え、このセンタロッド３３にフィルタカートリッジ３４を装着して構成される。ゼータプラスフィルタからなるフィルタカートリッジ３４はその中心に処理水を導く流路３５を備える。このフィルタカートリッジ３４の上部にはチューブフォロワ３６が配置され、さらにその上にプロテクションプレート３７が配置される。
【０００４】
プロテクションプレート３７の上面に突出したセンタロッド３３の先端のねじ部にはコンプレッションナット３８が螺合している。コンプレッションナット３８の下面はスプリング３９と接し、フィルタカートリッジ３４は軸方向に付勢されている。このコンプレッションナット３８によりフィルタカートリッジ３４全体は軸方向に圧縮されており、シール性能が保たれる。また、収縮によりカートリッジ寸法が変化しても、スプリング３９の働きで原水のリークが発生するのを防ぐことができる。ハウジング３１の上部は器内を密閉するカバー４０によって覆われる。
【０００５】
ハウジング３１内に導かれた原水はフィルタカートリッジ３４内を流れる間にろ過され、不純物質がすべて除かれる。この処理水は流路３５を通ってボトムプレート３２の上部に達し、出口ノズルへと向かう。
【０００６】
上記技術と関連する文献には次の特許文献がある。
【０００７】
【特許文献１】
特公平７−１１４８９８号公報  （第２−３頁、第１図）
【０００８】
【発明が解決しようとする課題】
上記のフィルタカートリッジ３４をコンプレッションナット３８によって押圧するフィルタ装置は一定の圧縮力を得ることが可能で、シール性能を保持するのに不満のないものである。しかしながら、たとえば、カートリッジ交換ではフィルタカートリッジ３４の着脱の度にコンプレッションナット３８を回して締付けを緩め、フィルタカートリッジ３４の押圧のために再度締め上げる必要があり、それのために多大な労力を掛けねばならない。
【０００９】
一方、センタロッド３３およびコンプレッションナット３８のねじ部などに油脂などの不純物が付着してしまうと、これを容易に取り除けないことから、ナット取り扱い中の汚染を防ぐのに気を抜けず、作業者の負担が大きくなる。
【００１０】
そこで、本発明の目的はフィルタカートリッジを極シンプルな加圧機構で押圧して適正な圧縮力を得るようにしたフィルタ装置を提供することにある。
【００１１】
【課題を解決するための手段】
本発明はハウジングと、ハウジングの軸心に沿って立設された軸部材と、軸部材に同心を保って設けられ、複数のろ材を有するフィルタカートリッジと、フィルタカートリッジの上部にあって軸部材を介してフィルタカートリッジを軸方向に押圧する加圧機構とを備えるフィルタ装置において、加圧機構は中間部に弾性体を装着した上部部材と下部部材とからなり、加圧機構がフィルタカートリッジとハウジングの蓋体との間に介装されることを特徴とする。
【００１２】
上記構成からなるフィルタ装置においては負荷荷重としてハウジングの蓋体の自重を利用する、シンプルな加圧機構でフィルタカートリッジを押圧し、カートリッジ軸方向に圧縮力を作用させるようにしたので、たとえば、カートリッジ交換においてナット部材を回してフィルタカートリッジを押圧する締付け力を緩め、さらにナット部材を回して加圧する手間を省くことが可能になる。これにより、フィルタカートリッジの押圧のために労力を掛ける必要がなくなり、大幅な省力を達成することができる。
【００１３】
【発明の実施の形態】
本発明の一実施の形態について図面を参照して説明する。図１において、本発明に係るフィルタ装置は円筒状のハウジング１と、このハウジング１の底部に取り付けられるボトムプレート２とを備える。このボトムプレート２にはハウジング軸心に沿ってハウジング１の上部にかけて延びるセンタロッド３が立設される。このセンタロッド３には複数のろ材を備えるフィルタカートリッジ４が装着される。このフィルタカーリッジ４はゼータプラスフィルタで構成される。ゼータプラスフィルタはろ材にカチオン樹脂を配合して作製されており、液中で正のゼータ電位を保ち、物理的ろ過に加えて、吸着効果を持たせたフィルタである。フィルタカートリッジ４の中心には処理水が流動する流路５を備える。
【００１４】
フィルタカートリッジ４の上部に突出したセンタロッド３にはチューブフォロワ６が取り付けられる。チューブフォロワ６はセンタロッド３の中間の軸部と嵌合してフィルタカートリッジ４の中心に位置決めされ、上端のつば部はフィルタカートリッジ４に載置されている。センタロッド３にはチューブフォロワ６の中心孔と接するリークを防ぐための２個のＯ−リング（図示せず）が装着される。
【００１５】
また、チューブフォロワ６の上部にはプロテクションプレート７が設けられる。このプロテクションプレート７の上面に突出したセンタロッド３に中間部に弾性体を装着した２つの部材で構成される加圧機構８が装着される。
【００１６】
さらに、ハウジング１の上部に器内を密閉するカバー９が設けられる。このカバー９の中心にはベント口１０を備える。一方、ボトムプレート２は原水を取り入れる入口１１と、処理水を下流に送り出す出口１２とを有する。
【００１７】
本実施の形態の加圧機構８は、図２に示すように、離隔距離を置いて組み合うアダプター１３およびワッシャー１４と、この双方の部材間に装着されたスプリング１５とから構成される。
【００１８】
アダプター１３は本体１６と、この本体１６の上部から突出した突片１７とを備える。この本体１６はセンタロッド３の先端の軸との嵌合のためにその外径よりも大きく穿たれる中心孔１８を有する。また、軸方向中間部にスプリング１５の一端を当てて止める環状のシート１９を備える。一方、突片１７の外径はカバー９のベント口１０との嵌合のためにその内径よりも幾分小さく形成される。
【００１９】
さらに、ワッシャー１４はセンタロッド３の中間の軸との嵌合のためにその外径よりも大きく形成された中心孔２０を有する。また、ワッシャー１４はその上面にスプリング１５の他端を当てて止める環状のシート２１を有する。このスプリング１５はステンレス鋼製であり、外径はアダプター外径とほぼ等しい寸法で形成される。
【００２０】
本実施の形態は上記構成からなり、加圧機構８はフィルタカートリッジ４の軸方向に圧縮力を及ぼすように組み立てる。離隔距離を置くようにアダプター１３とワッシャー１４とを配置し、双方の部材間にスプリング１５を装着する。この加圧機構８をフィルタカートリッジ４の上に載置したプロテクションプレート７の上面に突出したセンタロッド３に取り付け、アダプター１３の突片１７をカバー９のベント口１０に合わせて嵌入させる。カバー９の自重がアダプター１３の上面に働き、アダプター１３がフィルタカートリッジ４を下方に押圧するためにカートリッジ軸方向に一定の圧縮力が生じる。この結果、シールに必要な圧縮力を与えることができる。
【００２１】
本実施の形態においては負荷荷重としてカバー９の自重を利用する、極シンプルな加圧機構８でフィルタカートリッジ４を押圧してカートリッジ軸方向に圧縮力を作用させるので、カートリッジ交換においてナット部材を回してフィルタカートリッジを押圧する締付け力を緩める一方、フィルタカートリッジ４の組み立て後、ナット部材を回して加圧する手間を省くことが可能になる。したがって、フィルタカートリッジ４の押圧のために労力を掛ける必要がなくなり、大幅な省力を達成することができる。
【００２２】
上記フィルタ装置は次の手順で組み立てる。図３において、図示しないハウジング底部のボトムプレート２にセンタロッド３を立てる。センタロッド３に２個の溝にＯ−リング２２をそれぞれ嵌め込む。フィルタカートリッジ４をハウジングの上方からセンタロッド３に組み付ける。チューブフォロワ６をセンタロッド３の中心に合わせてフィルタカートリッジ４の上部に取り付ける。チューブフォロワ６の上にプロテクションプレート７を載せる。
【００２３】
スプリング１５を装着した加圧機構８をセンタロッド３の中心に合わせながら、プロテクションプレート７の上に載置する。以上のようにハウジング内の各要素を組み立てた後、ハウジングの上方からカバー９を降ろし、ベント口１０の中心をアダプター１３の突片１７の中心を合わせてカバー９をハウジングの上に置く。この後、ハウジングとカバー９とに図示しないクランプバンドを取り付けて締め上げる。
【００２４】
【発明の効果】
本発明によれば、中間部に弾性体を装着した上部部材と下部部材とを備える加圧機構をフィルタカートリッジとハウジングの蓋体との間に介装し、蓋体の自重でフィルタカートリッジを押圧してカートリッジ軸方向に圧縮力を作用させるようにしたので、カートリッジ交換においてナット部材を回してフィルタカートリッジを押圧する締付け力を緩め、さらにナット部材を回して加圧する手間を省くことが可能で、これにより、フィルタカートリッジの押圧のために労力を掛ける必要がなくなり、大幅な省力を達成することができる。
【図面の簡単な説明】
【図１】本発明によるフィルタ装置の一実施の形態を示す構成図である。
【図２】図１に示される加圧機構を示す拡大断面図である。
【図３】本発明に係るフィルタ装置の分解組立図である。
【図４】従来のフィルタ装置の一例を示す構成図である。
【符号の説明】
１…  ハウジング
２…  ボトムプレート
３…  センタロッド
４…  フィルタカートリッジ
６…  チューブフォロワ
８…  加圧機構
９…  カバー
１３…  アダプター
１４…  ワッシャー
１５…  スプリング
１７…  突片
【図１】
2005028203.tif 000003
【図２】
2005028203.tif 000004
【図３】
2005028203.tif 000005
【図４】
2005028203.tif 000006